(57)【要約】【課題】本発明は、記録媒体の製造方法に関し、記録媒体に形成されるマイクロホログラムを安定化することを目的とする。【解決手段】マスターホログラムディスク５の一面側に第１の１／４波長板９と、第１の機能性膜１０とを介して共役ホログラムディスク１１を当接させ、第１の機能性膜１０は、一方向へ旋回する円偏向光を反射し、他方向へ旋回する円偏向光を通過させる構成とし、この状態で前記マスターホログラムディスク５の他面側から、第一の方向に振動する第一の直線偏向の第１の平行光を、前記共役ホログラムディスク１１に向けて入射させるとともに、前記共役ホログラムディスク１１のマスターホログラムディスク５とは反対側から、前記第１の機能性膜１０が反射する一方向へ旋回する円偏向光の第２の平行光１３を、前記共役ホログラムディスク１１に向けて入射させ、この第２の平行光１３は、前記第１の平行光に比べて光強度を小さくした。【選択図】図４
2010118132.tif 000002
【特許請求の範囲】
【請求項１】
マスターホログラムディスク内に多層状態でマイクロホログラムを形成し、次にこのマスターホログラムディスクの一面側に１／４波長板と、機能性膜とを介して記録媒体を当接させ、前記機能性膜は、一方向へ旋回する円偏向光を反射し、他方向へ旋回する円偏向光を通過させる構成とし、この状態で前記マスターホログラムディスクの他面側から、第一の方向に振動する第一の直線偏向の第１の平行光を、前記記録媒体に向けて入射させるとともに、前記記録媒体のマスターホログラムディスクとは反対側から、前記機能性膜が反射する一方向へ旋回する円偏向光の第２の平行光を、前記記録媒体に向けて入射させ、この第２の平行光は、前記第１の平行光に比べて光強度を小さくする記録媒体の製造方法。
【請求項２】
機能性膜を一体化した１／４波長板を用いる請求項１に記載の記録媒体の製造方法。
【請求項３】
マスターホログラムディスク内に多層状態でマイクロホログラムを形成し、次にこのマスターホログラムディスクの一面側に第１の１／４波長板と、第１の機能性膜とを介して共役ホログラムディスクを当接させ、前記第１の機能性膜は、一方向へ旋回する円偏向光を反射し、他方向へ旋回する円偏向光を通過させる構成とし、この状態で前記マスターホログラムディスクの他面側から、第一の方向に振動する第一の直線偏向の第１の平行光を、前記共役ホログラムディスクに向けて入射させるとともに、前記共役ホログラムディスクのマスターホログラムディスクとは反対側から、前記第１の機能性膜が反射する一方向へ旋回する円偏向光の第２の平行光を、前記共役ホログラムディスクに向けて入射させ、この第２の平行光は、前記第１の平行光に比べて光強度を小さくし、その後前記共役ホログラムディスクに不活性処理を行い、次にこの共役ホログラムディスクの一面側に、第２の１／４波長板と、第２の機能性膜とを介して記録媒体を当接させ、前記第２の機能性膜は、一方向へ旋回する円偏向光を反射し、他方向へ旋回する円偏向光を通過させる構成とし、この状態で前記共役ホログラムディスクの他面側から、第三の方向に振動する第三の直線偏向の第３の平行光を、前記記録媒体に向けて入射させるとともに、前記記録媒体の共役ホログラムディスクとは反対側から、前記第２の機能性膜が反射する一方向へ旋回する円偏向光の第４の平行光を、前記記録媒体に向けて入射させ、この第４の平行光は、前記第３の平行光に比べて光強度を小さくする記録媒体の製造方法。
【請求項４】
第１の機能性膜を一体化した第１の１／４波長板と、第２の機能性膜を一体化した第２の１／４波長板とを用いる請求項３に記載の記録媒体の製造方法。
【請求項５】
第１の平行光の第一の方向と、第３の平行光の第三の方向とを同じ方向とした請求項３または４に記載の記録媒体の製造方法。
【発明の詳細な説明】
【技術分野】
【０００１】
本発明は、記録媒体の製造方法に関するものである。
【背景技術】
【０００２】
近年、記録容量を高めるために記録媒体に多層記録することが種々提案されているが、その中でも画期的なものとして、下記（特許文献１）に示すものがある。
【０００３】
すなわち、図１５に示すごとく、市販される樹脂製の記録媒体１内には、マイクロホログラム２が多層状態であらかじめ形成されているので、この記録媒体１を購入した使用者は、この記録媒体１の一面側から各層のマイクロホログラム２に光を照射するか、しないかで、そのマイクロホログラム２を消去、または存続させ、これによりデジタル信号記録を行うことが出来るようになっているのである。
【０００４】
特徴的なのは、上述のごとく、記録媒体１の一面側から各層のマイクロホログラム２に光を照射するか、しないかで、デジタル信号記録を行うことが出来ることで、従来のその他のものは、市販されている記録媒体１の両面から光を照射することでマイクロホログラム２を形成していた。
【０００５】
つまり、従来のその他のものは、一般使用者が使用する記録再生装置においても、記録媒体１の両面に光を照射する手段が必要となっていたのに対し、図１５に示した従来例では、一般使用者が使用する記録再生装置においては、記録媒体１の片面側にだけに光を照射する手段を設ければ良い点が、特徴点であった。
【特許文献１】米国特許第７３８８６９５号明細書
【発明の開示】
【発明が解決しようとする課題】
【０００６】
上記図１５に示す記録媒体１は、図１０〜図１５に示すようにして製造されていた。
【０００７】
先ずは、マスターホログラムディスク３の両面側から光を照射、干渉させることで、マイクロホログラム２を作る。
【０００８】
次に、図１１に示すように、マスターホログラムディスク３に共役ホログラムディスク４を当接させた状態で、共役ホログラムディスク４側から光を照射する。
【０００９】
すると、図１２（ｂ）のごとくその光照射によりマスターホログラムディスク３のマイクロホログラム２から反射した光と、図１２（ａ）のごとく共役ホログラムディスク４に入射させた光とが干渉し、その結果として図１２（ｃ）のごとく共役ホログラムディスク４内にホログラム２ａが形成される。
【００１０】
次に図１３に示すごとく、共役ホログラムディスク４に記録媒体１を当接させた状態で、記録媒体１側から光を照射する。
【００１１】
すると、図１４のごとく、図１３で記録媒体１に入射させた光と、その光照射により共役ホログラムディスク４のホログラム２ａから反射した光とが干渉し、その結果として図１５のごとく記録媒体１内に、マスターホログラムディスク３のマイクロホログラム２が転写された状態となる。
【００１２】
以上の製造方法において課題となるのは、記録媒体１内に形成されたマイクロホログラム２が安定しないということであった。
【００１３】
すなわち、図１２に示した共役ホログラムディスク４内のマイクロホログラム２形成時では、図１２（ａ）のごとく共役ホログラムディスク４に入射させた光の強さに比較して、図１２（ｂ）のごとくマスターホログラムディスク３のマイクロホログラム２から反射した光の強さが、あまりにも小さいので、共役ホログラムディスク４内に形成されるホログラム２ａが安定しないというのが、一つの原因であった。
【００１４】
また、記録媒体１内のマイクロホログラム２形成時においても、図１３のごとく記録媒体１に入射させた光の強さに比較して、図１４のごとく共役ホログラムディスク４のホログラム２ａから反射した光の強さが、あまりにも小さいので、記録媒体１内に形成されるマイクロホログラム２が安定しないというのが、他の原因であった。
【００１５】
そこで本発明は、記録媒体に形成されるマイクロホログラムを安定化することを目的とするものである。
【課題を解決するための手段】
【００１６】
そして、この目的を達成するために本発明は、マスターホログラムディスク内に多層状態でマイクロホログラムを形成し、次にこのマスターホログラムディスクの一面側に１／４波長板と、機能性膜とを介して記録媒体を当接させ、前記機能性膜は、一方向へ旋回する円偏向光を反射し、他方向へ旋回する円偏向光を通過させる構成とし、この状態で前記マスターホログラムディスクの他面側から、第一の方向に振動する第一の直線偏向の第１の平行光を、前記記録媒体に向けて入射させるとともに、前記記録媒体のマスターホログラムディスクとは反対側から、前記機能性膜が反射する一方向へ旋回する円偏向光の第２の平行光を、前記記録媒体に向けて入射させ、この第２の平行光は、前記第１の平行光に比べて光強度を小さくし、これにより、初期の目的を達成するものである。
【発明の効果】
【００１７】
以上のように本発明は、マスターホログラムディスク内に多層状態でマイクロホログラムを形成し、次にこのマスターホログラムディスクの一面側に１／４波長板と、機能性膜とを介して記録媒体を当接させ、前記機能性膜は、一方向へ旋回する円偏向光を反射し、他方向へ旋回する円偏向光を通過させる構成とし、この状態で前記マスターホログラムディスクの他面側から、第一の方向に振動する第一の直線偏向の第１の平行光を、前記記録媒体に向けて入射させるとともに、前記記録媒体のマスターホログラムディスクとは反対側から、前記機能性膜が反射する一方向へ旋回する円偏向光の第２の平行光を、前記記録媒体に向けて入射させ、この第２の平行光は、前記第１の平行光に比べて光強度を小さくしたものであるので、記録媒体に形成されるマイクロホログラムを安定化することが出来る。
【００１８】
すなわち本発明においては、記録媒体の両側から照射される光の強度が大きく違わない状態としたので、記録媒体に形成されるマイクロホログラムを安定化することが出来る。
【発明を実施するための最良の形態】
【００１９】
以下、本発明の一実施形態を、添付図面を用いて説明する。
【００２０】
図１はマスターホログラムディスク５内に多層状態でマイクロホログラム６を形成する状態を示し、樹脂製のマスターホログラムディスク５の両側からレンズ７、８で絞った光を、目的とする場所（この図１ではマスターホログラムディスク５の表面のアドレスを利用）に照射し、干渉させてマイクロホログラム６を、多層状態に形成している。
【００２１】
次に、このマスターホログラムディスク５の一面側（図２の下面側）に、第１の１／４波長板９と、第１の機能性膜１０とを介して共役ホログラムディスク（この共役ホログラムディスクも記録媒体の一例となる）１１を当接させる。
【００２２】
この場合、第１の機能性膜１０は、一方向（例えば左方向）へ旋回する円偏向光を反射し、他方向（例えば右方向）へ旋回する円偏向光を通過させる構成となっている。
【００２３】
この状態で、図２のごとく、前記マスターホログラムディスク５の他面側（図２の上面側）から、第一の方向に振動する第一の直線偏向の第１の平行光１２を、前記共役ホログラムディスク１１に向けて入射させるとともに、図４のごとく、前記共役ホログラムディスク１１のマスターホログラムディスク５とは反対側（図４の下側）から、前記第１の機能性膜１０が反射する一方向へ旋回する円偏向光（この実施形態では左旋回波）の第２の平行光１３を、前記共役ホログラムディスク１１に向けて入射させる。
【００２４】
なお、本実施形態において、上記第１の平行光１２は、上述のごとく第一の方向に振動する第一の直線偏向となっているが、以降の説明がスムーズに進行するよう、例えばこれはＳ波とする（勿論Ｐ波としても良い）。
【００２５】
以上図２〜図４の状態を順に説明すると、上記図２のごとく、前記マスターホログラムディスク５の他面側（図２の上面側）から、Ｓ波の第１の平行光１２を前記共役ホログラムディスク１１に向けて入射すると、その光は１／４波長板９を通過して左旋回光となるので第１の機能性膜１０で反射される。
【００２６】
第１の機能性膜１０で反射された光は、次に１／４波長板９を再度通過することで、図３のごとくＰ波となり、その後マスターホログラムディスク５のマイクロホログラム６で反射した分だけが再び図３、図４のごとく共役ホログラムディスク１１に向けて進む。
【００２７】
図３、図４のマイクロホログラム６からの反射光は、１／４波長板９を通過することで、今度は右旋回光となるので、第１の機能性膜１０を通過し、共役ホログラムディスク１１に向けて進むことになる。
【００２８】
一方図４のごとく、前記共役ホログラムディスク１１のマスターホログラムディスク５とは反対側（図４の下側）からは前記第１の機能性膜１０が反射する一方向へ旋回する円偏向光（この実施形態では左旋回波）の第２の平行光１３が、前記共役ホログラムディスク１１に向けて入射されており、この結果、共役ホログラムディスク１１内で光の干渉がおき、図５に示すごとくマイクロホログラム６ａが形成される。
【００２９】
この場合、第２の平行光１３は、前記第１の平行光１２に比べて光強度を小さくしており、つまり図３に示すマスターホログラムディスク５のマイクロホログラム６で反射した光とその光強度をほぼ同じ状態とすることにより、共役ホログラムディスク１１内に、マイクロホログラム６ａを安定して形成することが出来る。
【００３０】
共役ホログラムディスク１１内に、マスターホログラムディスク５の全てのマイクロホログラム６からのマイクロホログラム６ａを形成した後は、共役ホログラムディスク１１を例えば加熱によりに不活性処理する。
【００３１】
次にこのようにして形成した共役ホログラムディスク１１を用いて今度は図９のごとく記録媒体１４内にマイクロホログラム６を転写、形成する。
【００３２】
この時には先ず、図６に示すごとく、共役ホログラムディスク１１の一面側（図６の上面側）に第２の１／４波長板１５と、第２の機能性膜１６とを介して記録媒体１４を当接させる。
【００３３】
前記第２の機能性膜１６は、一方向（例えば左方向）へ旋回する円偏向光を反射し、他方向（例えば右方向）へ旋回する円偏向光を通過させる構成としている。
【００３４】
この状態で、前記共役ホログラムディスク１１の他面側（図６の下面側）から、第三の方向に振動する第三の直線偏向の第３の平行光１７を、前記記録媒体１４に向けて入射させるとともに、図８のごとく前記記録媒体１４の共役ホログラムディスク１１とは反対側（図８の上面側）から、前記第２の機能性膜１６が反射する一方向へ旋回する円偏向光（この実施形態では左旋回波）の第４の平行光１８を、前記記録媒体１４に向けて入射させる。
【００３５】
本実施形態において、上記第３の平行光１７は、上述のごとく第三の方向に振動する第三の直線偏向となっているが、以降の説明がスムーズに進行するよう、例えばこれはＳ波とする（勿論Ｐ波としても良い）。
【００３６】
この状態を順に説明すると、上記図６のごとく、前記共役ホログラムディスク１１の下面側からＳ波（またはＰ波）の第３の平行光１７を前記共役ホログラムディスク１１に向けて入射すると、その光は１／４波長板１５を通過して左旋回光となるので、第２の機能性膜１６で反射される。
【００３７】
第２の機能性膜１６で反射された光は、次に１／４波長板１５を再度通過することで図７のごとくＰ波となり、その後共役ホログラムディスク１１のマイクロホログラム６ａで反射した分だけが再び図７、図８のごとく記録媒体１４に向けて進む。
【００３８】
図７、図８のごとく共役ホログラムディスク１１のマイクロホログラム６ａで反射した反射光は、第２の１／４波長板１５を通過することで、今度は右旋回光となるので、第２の機能性膜１６を通過し、記録媒体１４に向けて進む。
【００３９】
一方図８のごとく、前記記録媒体１４の共役ホログラムディスク１１とは反対側（図８の上側）からは、前記第２の機能性膜１６が反射する一方向へ旋回する円偏向光（この実施形態では左旋回波）の第４の平行光１８が、前記記録媒体１４に向けて入射されており、この結果、記録媒体１４内で光の干渉がおき、図９に示すごとくマイクロホログラム６が転写、形成されることとなる。
【００４０】
この場合、第４の平行光１８は、前記第３の平行光１７に比べて光強度を小さくしており、つまり図８に示す共役ホログラムディスク１１のマイクロホログラム６ａで反射した光と、その光強度をほぼ同じ状態とすることにより、記録媒体１４内に安定したマイクロホログラム６を形成することが出来る。
【００４１】
そしてこのようにして製造された記録媒体１４は、その一面側から光を照射するか、しないかで、そのマイクロホログラム６を消去、または存続させ、これによりデジタル信号記録を行うことが出来るようになっているのである。
【００４２】
なお、上記実施形態において、第１の機能性膜１０は第１の１／４波長板９と一体化しており、第２の機能性膜１６は第２の１／４波長板１５とそれぞれ一体化したものを用いた。
【００４３】
また、上記実施形態において、第１の平行光１２の第一の方向と、第３の平行光１７の第三の方向とは同じ方向としても良い。
【００４４】
また、上記実施形態では、第１の機能性膜１０は、一方向（例えば左方向）へ旋回する円偏向光を反射し、他方向（例えば右方向）へ旋回する円偏向光を通過させる構成と、さらに、第２の機能性膜１６は、一方向（例えば左方向）へ旋回する円偏向光を反射し、他方向（例えば右方向）へ旋回する円偏向光を通過させる構成としているが、これら、第１の機能性膜１０と、第２の機能性膜１６の構成を、上記実施形態とは反対方向に変更しても良い。
【００４５】
具体的には、第１の機能性膜１０は、一方向（例えば右方向）へ旋回する円偏向光を反射し、他方向（例えば左方向）へ旋回する円偏向光を通過させる構成と、さらに、第２の機能性膜１６も、一方向（例えば右方向）へ旋回する円偏向光を反射し、他方向（例えば左方向）へ旋回する円偏向光を通過させる構成としても良い。
【００４６】
ただし、このように第１の機能性膜１０と、第２の機能性膜１６の構成を変更した場合には、図２、図３、図４、図６、図７、図８の光も変更されることとなる。
【００４７】
具体的には、図２における第１の平行光１２はＳ波からＰ波に変更する必要がある。また、図３に記載したＰ波はＳ波となる。さらに、図４の第２の平行光１３は、右旋回波に変更する必要がある。また、図６に記載したＳ波はＰ波となり、図７に記載したＰ波はＳ波となる。さらにまた、図８の第４の平行光１８は、右旋回波に変更する必要がある。
【産業上の利用可能性】
【００４８】
以上のように本発明は、マスターホログラムディスク内に多層状態でマイクロホログラムを形成し、次にこのマスターホログラムディスクの一面側に１／４波長板と、機能性膜とを介して記録媒体を当接させ、前記機能性膜は、一方向へ旋回する円偏向光を反射し、他方向へ旋回する円偏向光を通過させる構成とし、この状態で前記マスターホログラムディスクの他面側から、第一の方向に振動する第一の直線偏向の第１の平行光を、前記記録媒体に向けて入射させるとともに、前記記録媒体のマスターホログラムディスクとは反対側から、前記機能性膜が反射する一方向へ旋回する円偏向光の第２の平行光を、前記記録媒体に向けて入射させ、この第２の平行光は、前記第１の平行光に比べて光強度を小さくしものであるので、記録媒体に形成されるマイクロホログラムを安定化することが出来る。
【００４９】
すなわち本発明においては、記録媒体の両側から照射される光の強度が大きく違わない状態としたので、記録媒体に形成されるマイクロホログラムを安定化することが出来る。
【００５０】
このため、各種の電子機器の記録媒体として広く活用が期待される。
【図面の簡単な説明】
【００５１】
【図１】本発明の一実施形態を示すブロック図
【図２】本発明の一実施形態を示すブロック図
【図３】本発明の一実施形態を示すブロック図
【図４】本発明の一実施形態を示すブロック図
【図５】本発明の一実施形態を示すブロック図
【図６】本発明の一実施形態を示すブロック図
【図７】本発明の一実施形態を示すブロック図
【図８】本発明の一実施形態を示すブロック図
【図９】本発明の一実施形態を示すブロック図
【図１０】従来例を示すブロック図
【図１１】従来例を示すブロック図
【図１２】従来例を示すブロック図
【図１３】従来例を示すブロック図
【図１４】従来例を示すブロック図
【図１５】従来例を示すブロック図
【符号の説明】
【００５２】
５    マスターホログラムディスク
６，６ａ    マイクロホログラム
７    レンズ
８    レンズ
９    第１の１／４波長板
１０    第１の機能性膜
１１    共役ホログラムディスク
１２    第１の平行光
１３    第２の平行光
１４    記録媒体
１５    第２の１／４波長板
１６    第２の機能性膜
１７    第３の平行光
１８    第４の平行光
【図１】
2010118132.tif 000003
【図２】
2010118132.tif 000004
【図３】
2010118132.tif 000005
【図４】
2010118132.tif 000006
【図５】
2010118132.tif 000007
【図６】
2010118132.tif 000008
【図７】
2010118132.tif 000009
【図８】
2010118132.tif 000010
【図９】
2010118132.tif 000011
【図１０】
2010118132.tif 000012
【図１１】
2010118132.tif 000013
【図１２】
2010118132.tif 000014
【図１３】
2010118132.tif 000015
【図１４】
2010118132.tif 000016
【図１５】
2010118132.tif 000017